(57)【要約】【課題】重く嵩張る三脚又は四脚と撮影機材を収納するカメラバッグの有効活用と持ち運び方法の改善を課題とする。【解決手段】  撮影機材等を収納するカメラバッグは内部にカメラを支持する支持部を有し前記支持部に雲台を取り付けられるものである。カメラバッグは開度調節可能に設けられた伸縮脚を備えたカメラ支持部を収納できるように開閉可能の上蓋を有し、上蓋には、カメラの雲台を貫通させるため開閉可能な雲台孔を備える。カメラバッグの内側に伸縮脚を挿入できる脚収納部を有し、脚収納部に、伸縮脚を広げて延伸できる脚収納拡幅部を備えたバッグである。これにより、三脚の機能を具備する収納バッグとなり安全に撮影機材の持ち運びができる。【選択図】  図２
2020056986.tif 000002
【特許請求の範囲】
【請求項１】
略直方体状のバッグであって、3本の伸縮脚を備えたカメラ支持部を挿入できるように開閉可能の上蓋を有し、上蓋には、カメラの雲台を貫通させるため開閉可能な雲台孔を備え、バッグの内側3箇所に、縦方向で下方向に、伸縮脚を挿入できる円筒状の脚収納部を備え、3本の伸縮脚を備えたカメラ支持部を収納できるようにし、バッグの背面側で隅2箇所と正面側で幅方向の中央１箇所は、脚収納部に、伸縮脚を広げて延伸できる脚収納拡幅部を備えたことを特徴とするバッグ。
【請求項２】
略直方体状のバッグであって、４本の伸縮脚を備えたカメラ支持部を挿入できるように開閉可能の上蓋を有し、上蓋には、カメラの雲台を貫通させるため開閉可能な雲台孔を備え,バッグの内側四隅に、縦方向で下方向に、伸縮脚を挿入できる円筒状の脚収納部を備え、４本の伸縮脚を備えたカメラ支持部を収納できるようにし、バッグの四隅は、脚収納部に伸縮脚を広げて延伸できる脚収納拡幅部を備えたことを特徴とするバッグ。
【請求項３】
前記脚収納拡幅部は、脚収納部の外側に縦方向に備えたスライドファスナーであることを特徴とする請求項１または２のバッグ。
【請求項４】
前記脚収納拡幅部は、脚収納部外側の箇所を伸縮性素材にしたことを特徴とする請求項１または２のバッグ。
【発明の詳細な説明】
【技術分野】
【０００１】
本発明はカメラを支持する三脚又は４脚及び撮影機材を収納するバッグに関するものである。
【背景技術】
【０００２】
写真撮影においてスローシャッター及び望遠レンズ使用時に手振れ防止として機動性を求めるなら一脚が有用であり、早朝、夕景、夜景、花火、星景等の長秒撮影及び超望遠レンズ使用時には支持する三脚は必須です。しかし使用時以外は無用、邪魔になっているのが現状である。
従来、写真撮影に用いるための、カメラ及びレンズ、ストロボ等、撮影機材はカメラバッグに収納すると共に、上記三脚の重量物は折り畳んで本体部の外面に取り付けて持ち運び出来る。しかしカメラバッグより大型の三脚は単独で肩に担いで運ぶのが普通である。
【０００３】
このカメラバッグについて、例えば実用新案登録第３２０７４６０号公報等によって種々の形態のものが提案されている。
【０００４】
上記実用新案登録第３２０７４６０号公報によって開示されているカメラバッグ（バックパック）は三脚をバックパック本体前部外側で幅方向の中央に固定用ベルトにて取り付けるようになっている。
【先行技術文献】
【特許文献】
【０００５】
【特許文献１】実用新案登録第3207460号広報
【発明の概要】
【発明が解決しようとする課題】
【０００６】
ところが上記実用新案登録第３２０７４６０号公報にて提案されているカメラバッグ（バックパック）によればバックパック本体の外側に固定用ベルトにて取り付けるようになっているため三脚本体及び雲台は金属性であり、ラッシュの電車及びバスの中で周囲の人に三脚が直接触れて怪我を負わせるといった問題がある。
【０００７】
本発明は上述した点に鑑みてなされたものであって、その目的とするところは重く嵩張る三脚と撮影機材を収納するカメラバッグの有効活用と持ち運び方法の改善を課題とする。
【課題を解決するための手段】
【０００８】
略直方体状のバッグであって、3本の伸縮脚を備えたカメラ支持部を挿入できるように開閉可能の上蓋を有し、上蓋には、カメラの雲台を貫通させるため開閉可能な雲台孔を備え、バッグの内側3箇所に、縦方向で下方向に、伸縮脚を挿入できる円筒状の脚収納部を備え、3本の伸縮脚を備えたカメラ支持部を収納できるようにし、バッグの背面側で隅2箇所と正面側で幅方向の中央１箇所は、脚収納部に伸縮脚を広げて延伸できる脚収納拡幅部を備える。
【０００９】
略直方体状のバッグであって、４本の伸縮脚を備えたカメラ支持部を挿入できるように開閉可能の上蓋を有し、上蓋には、カメラの雲台を貫通させるため開閉可能な雲台孔を備え,バッグの内側四隅に、縦方向で下方向に、伸縮脚を挿入できる円筒状の脚収納部を備え、４本の伸縮脚を備えたカメラ支持部を収納できるようにし、バッグの四隅は、脚収納部に伸縮脚を広げて延伸できる脚収納拡幅部を備える。
【００１０】
上記の脚収納拡幅部は一つには脚収納部の外側に縦方向のスライドファスナーによって伸縮脚を広げて延伸させるものである。
【００１１】
または脚収納拡幅部は脚収納部外側の箇所に伸縮性素材を用い、伸縮性素材底部は縫製せずに開けることで伸縮脚を広げて延伸させるものである。
【発明の効果】
【００１２】
本発明によれば、三脚の機能を有するカメラ支持部を背負型バッグ内部に具備する事により、ラッシュの電車及びバスに乗ったときでも従来の背負型等のバッグのようにバッグ外側面に三脚を取り付け
金属部分等が周囲の人に直接触れて怪我を負わせる虞も無くなり、安全である。移動の際の撮影機材等の持ち運びも本発明のカメラ支持部内蔵バッグひとつで済み、嵩張らないので便利である。
【００１３】
カメラ支持部内蔵バッグの、内側隅に伸縮脚を配置した事により収容量の確保が出来、重心が下向き鉛直方向へ均一になるので背負って移動する際、使用者への負荷を軽減することができる。
【００１４】
撮影時にはバッグ上面に雲台とカメラを取付ければ地面に置くだけで使用が出来る。
【００１５】
バッグの脚収納拡幅部をスライドファスナーにした場合、縦方向に開閉可能として、開くことで、伸縮脚を広げて延伸すれば任意の高さでの撮影も簡単に出来る。
【００１６】
または、バッグの脚収納拡幅部を伸縮性素材にした場合、伸縮脚を広げて延伸するだけで、任意の高さでの撮影も簡単に出来る
【００１７】
バッグの上蓋を開けカメラ支持部を取り出す事ができ、エレベーターポールを取り付け、エレベーターによる昇降も可能な撮影が出来る。
【００１８】
図８のようにバッグ上側に雲台とカメラを取付てバッグを体の前に抱えれば機動性を保ちながら撮影する際の手振れ防止になり、望遠レンズ使用時及び移動する被写体の撮影にも瞬時に対応出来て従来の一脚同様に有用である。
【図面の簡単な説明】
【００１９】
【図１】三本の伸縮脚を備えたカメラ支持部用バッグの内部及び概観斜視図
【図２】バッグに雲台とカメラを取り付け、伸縮脚を伸ばした状態の全体斜視図
【図３】カメラ支持部の概観斜視図
【図４】バッグの上蓋を開けた状態の内部及び外観斜視図
【図５】バッグに収納された支持部上面を示す平面図
【図６】伸縮脚をとじた状態でエレベーターポールを取り付けたカメラ支持部側面図
【図７】伸縮性素材を備えたバッグの上蓋を開けた状態の内部及び外観斜視図
【図８】バッグを体の前に抱えて撮影する場合の使用例
【図９】四本の伸縮脚を備えたカメラ支持部用バッグの内部及び概観斜視図
【図１０】バッグに雲台とカメラを取り付け、伸縮脚を伸ばした状態の全体斜視図
【図１１】カメラ支持部の概観斜視図
【図１２】バッグの上蓋を開けた状態の内部及び外観斜視図
【図１３】バッグに収納された支持部上面を示す平面図
【図１４】伸縮脚を閉じた状態でエレベーターポールを取り付けたカメラ支持部側面図
【図１５】伸縮性素材を備えたバッグの上蓋を開けた状態の内部及び外観斜視図
【発明を実施するための形態】
【００２０】
本発明の一実施形態のカメラ支持部内蔵バッグの全体構成を、以下に説明する。
【００２１】
本発明の三本の伸縮脚を備えたカメラ支持部内蔵バッグと、四本の伸縮脚を備えたカメラ支持部内蔵バッグについて説明する。最初に図１から図７で、三本の伸縮脚を備えたカメラ支持部内蔵バッグを説明し、その後で図９から図１５で、４本の伸縮脚を備えたカメラ支持部内蔵バッグについて説明する。
【００２２】
（実施形態１）三本の伸縮脚を備えたカメラ支持部内蔵バッグ
【００２３】
図１はバッグ内部及び概観斜視図で持ち運び状態を示すものである。
【００２４】
図２はバッグ１１に雲台８とカメラ９を取り付け、脚収納拡幅部１９（バッグ3箇所）のスライドファスナーを開き、伸縮脚５９を広げて伸ばした状態の全体項製図である。
【００２５】
図３はカメラ支持部５１でカメラ９による撮影の際に、そのカメラを支持するものである。
【００２６】
図４は上蓋１４を開けた状態のバッグ内部及び外観斜視図である。
【００２７】
図１に示すように本実施形態のバッグは略直方体状のバッグであって、使用者が背中で背負う形態
で撮影機材等を運搬する収納具であり、図３のカメラ支持部５１と伸縮脚５９をバッグの背面内側隅2箇所と正面側で幅方向の中央内側１箇所に構成されているものである。
【００２８】
カメラ支持部内蔵バッグは略直方体状のバッグで3本の伸縮脚５９を備えたカメラ支持部５１を挿入できるように開閉可能の上蓋１４を有し、バッグ１１と上蓋１４とは上蓋スライドファスナー１５により開閉することができるように構成されている。
【００２９】
上蓋１４には、カメラの雲台８を貫通させるため開閉可能な雲台孔１６を備えている。
【００３０】
バッグ１１の内部にはインナーボックス１２を備え、図５に示されるようにバッグ１１とインナーボックス１２との間、つまり、バッグの背面内側隅２箇所とバッグの正面側で幅方向の中央内側1箇所に、縦方向で下方向に、伸縮脚５９を挿入できる円筒状の脚収納部１８を備え、カメラ支持部５１を挿入、収納できるように構成されているものである。
脚収納部１８のバッグの外側には、伸縮脚を広げて延伸できる脚収納拡幅部１９を備える。
【００３１】
図１は一つには脚収納拡福部１９（脚収納部外側のバッグ3箇所の鉛直方向)は、スライドファスナーによって開口を開閉し伸縮脚５９を広げて延伸できるよう設定された場合の構成である。
【００３２】
バッグ１１とカメラ支持部５１は、上蓋１４を上蓋スライドファスナー１５で閉じることによりカメラ支持部５１が固定される。(図１参照)
【００３３】
図７のように、脚収納拡幅部１９は脚収納部外側の箇所に伸縮性素材を用い、伸縮性素材底部は縫製せずに開けることで、伸縮脚５９を広げて延伸できるよう設定されてもよい。
【００３４】
図示を省略しているが、バッグ１１と背面開閉部蓋とはスライドファスナーにより開閉することができるように構成されており撮影機材を収納できる。
【００３５】
前記のインナーボックス１２は衝撃吸収材を中に入れた布製で形成され、例えば、衝撃吸収材の材質は低密度ポリエチレン等である。インナーボックスの内部には、図示を省略しているが複数の隔壁部材が設けられ、この隔部材が例えばカメラの背面や側面を覆うように配置され両端の面ファスナーを互いに締結させる。これにより、カメラ及びレンズなどの固定をすることができるように構成されている。これら複数の壁部材は、従来構成のカメラ収納用バッグにおいては一般に適用されている部材である。
【００３６】
バッグ１１の背面側には、上部の縁部（一端）から下部の縁部との間に掛け渡されるように一対のショルダストラップ２０が設けられている。下部の縁部からは、一対のウエストベルト２１が背面
側に向けて延出している。このショルダストラップ２０及びウエストベルト２１は長さ調節用の調整具や連結用のバックルを有して構成される。
【００３７】
次に、カメラ支持部５１を、以下に説明する。
【００３８】
カメラ支持部５１は、中央部に上下面に貫通した取付孔部(図示せず)を有し、雲台取付部５２を着脱可能に挿入されて取付けられ、雲台取付部５２には雲台取付孔５３を有している。
【００３９】
また、雲台取付部５２下側には昇降用のエレベーターポール５５が嵌脱可能でかつ上下位置調整可能に取り付けられる。
【００４０】
そして、カメラ支持部５１には、雲台取付部５２を取付孔部の孔周囲部分に対して固定および固定解除する操作部５４が回転可能に設けられている。
【００４１】
図５のカメラ支持部５1は周方向に１２０度間隔で位置する伸縮脚取付部５６を３箇所有し、この各伸縮脚取付部５６には伸縮脚５９の上端部が水平方向軸５７を介して広げて延伸できるように取り付けられている。尚、３つの伸縮脚取付部５６は、伸縮脚５９の上端部を介して互いに離間対向する対向板５８にて構成されている。
【００４２】
そして、これら３本の伸縮脚５９は、少なくとも下向き傾斜状態および下向き鉛直状態に選択的に設定可能となっている。        
【００４３】
使用時における下向き傾斜状態の伸縮脚５９は、カメラ支持部５１の伸縮脚取付部５６から外側方斜め下方に向かって突出し、鉛直方向に対して設定傾斜角度で傾斜する傾斜方向に沿って位置する。
【００４４】
非使用時における下向き鉛直状態の伸縮脚５９は、カメラ支持部５１が地面に対して平行な状態で、カメラ支持部５１の伸縮脚取付部５６から鉛直下方に向かって突出し、鉛直方向に沿って位置する。
【００４５】
雲台８を取付けるには雲台取付部５２の雲台取付孔５３にネジアダプター(図示せず)を介して雲台を接続する。
【００４６】
上記のネジアダプターは円盤状の形態で上側と下側中心に雄ネジを備え雲台を支持し接続する部品
であり従来構成の一般に適用されている着脱可能の部品である。
【００４７】
尚、雲台は例えば自由雲台等で種々の形態のものが一般に適用されている撮影機材である。
【００４８】
次に、上記カメラ支持部内蔵バッグの作用等を説明する。
【００４９】
第１の使用状態時には、図8に示すように、バッグ１１の雲台孔１６を開け、カメラ支持部５１の雲台取付孔５３にネジアダプターを介して雲台８を接続し、雲台８にカメラ９を接続固定してバッグを体の前に抱えて撮影を行う。
【００５０】
第２の使用状態時には、図２に示されるように脚収納拡福部１９（脚収納部外側のバッグ3箇所の鉛直方向)に設けられたスライドファスナーによって開口、３本の伸縮脚５９は下向き傾斜状態に設定、伸縮脚５９を任意の長さにして伸縮脚ロックナット６０を閉めて固定することにより適切に通常撮影が行われる。
【００５１】
尚、図７のように脚収納拡福部１９（脚収納部外側のバッグ3箇所の鉛直方向）に伸縮性素材を用いてもよい。伸縮性素材底部は縫製せずに開けることで、3本の伸縮脚５９を広げて下向き傾斜状態に設定、伸縮脚５９を任意の長さにして伸縮脚ロックナット６０を閉めて固定することにより適切に通常撮影が行われる。
【００５２】
（実施形態２）  四本の伸縮脚を備えたカメラ支持部内蔵バッグ
【００５３】
図９はバッグ内部及び概観斜視図で持ち運び状態を示すものである。
【００５４】
図１０はバッグ１１に雲台８とカメラ９を取り付け、バッグ四隅の脚開閉スライドファスナー１３を開き、伸縮脚５９を広げて伸ばした状態の全体項製図である。
【００５５】
図１１はカメラ支持部５１でカメラ９による撮影の際に、そのカメラを支持するものである。
【００５６】
図１２は上蓋１４を開けた状態のバッグ内部及び外観斜視図である。
【００５７】
図９に示すように本実施形態のバッグは略直方体状のバッグであって、使用者が背中で背負う形態
で撮影機材等を運搬する収納具であり、図１１のカメラ支持部５１の伸縮脚５９をバッグ内部四隅に構成されているものである。
【００５８】
カメラ支持部内蔵バッグは略直方体状のバッグで四本の伸縮脚５９を備えたカメラ支持部５１を挿入
できるように開閉可能の上蓋１４を有し、バッグ１１と上蓋１４とは上蓋スライドファスナー１５により開閉することができるように構成されている。
【００５９】
上蓋１４には、カメラの雲台８を貫通させるため開閉可能な雲台孔１６を備えている。
【００６０】
バッグ１１の内部にはインナーボックス１２を備え、図１３に示されるようにバッグ１１とインナーボックス１２との間、つまり、バッグの内側４隅に、縦方向で下方向に、伸縮脚５９を挿入できる円筒状の脚収納部１８を備え、カメラ支持部５１を挿入、収納できるように構成されているものである。脚収納部１８のバッグの外側には、伸縮脚を広げて延伸できる脚収納拡幅部１９を備える。
【００６１】
図１０に示されるように一つには脚収納拡福部１９（脚収納部外側のバッグ四隅の鉛直方向)には、スライドファスナーによって開口を開閉し伸縮脚５９を広げて延伸できるよう設定する場合の構成である。
【００６２】
バッグ１１とカメラ支持部５１は、上蓋１４を上蓋スライドファスナー１５で閉じることによりカメラ支持部５１が固定される。(図９参照)
【００６３】
また、図１５のようにもう一つは脚収納拡福部１９（脚収納部外側のバッグ四隅の鉛直方向）に伸縮性素材を用い、伸縮性素材底部は縫製せずに開けることで、伸縮脚５９を広げて延伸することもできる。
【００６４】
図示を省略しているが、バッグ１１と背面開閉部蓋とはスライドファスナーにより開閉することができるように構成されており撮影機材を収納できる。
【００６５】
前記のインナーボックス１２は衝撃吸収材を中に入れた布製で形成され、例えば、衝撃吸収材の材質は低密度ポリエチレン等である。インナーボックスの内部には、図示を省略しているが複数の隔壁部材が設けられ、この隔部材が例えばカメラの背面や側面を覆うように配置され両端の面ファスナーを互いに締結させる。これにより、カメラ及びレンズなどの固定をすることができるように構成されている。これら複数の壁部材は、従来構成のカメラ収納用バッグにおいては一般に適用されている部材である。
【００６６】
バッグ１１の背面側には、上部の縁部（一端）から下部の縁部との間に掛け渡されるように一対のショルダストラップ２０が設けられている。下部の縁部からは、一対のウエストベルト２１が背面
側に向けて延出している。このショルダストラップ２０及びウエストベルト２１は長さ調節用の調整具や連結用のバックルを有して構成される。
【００６７】
次に、カメラ支持部５１を、以下に説明する。
【００６８】
カメラ支持部５１は、中央部に上下面に貫通した取付孔部(図示せず)を有し、雲台取付部５２を着脱可能に挿入されて取付けられ、雲台取付部５２には雲台取付孔５３を有している。
【００６９】
また、雲台取付部５２下側には昇降用のエレベーターポール５５が嵌脱可能でかつ上下位置調整可能に取り付けられる。
【００７０】
そして、カメラ支持部５１には、雲台取付部５２を取付孔部の孔周囲部分に対して固定および固定解除する操作部５４が回転可能に設けられている。
【００７１】
図１１のカメラ支持部５１は対角線上外側へ向けて伸縮脚取付部５６を４箇所有し、この各伸縮脚取付部５６には伸縮脚５９の上端部が水平方向軸５７を介して広げて延伸できるように取り付けられている。尚、４つの伸縮脚取付部５６は、伸縮脚５９の上端部を介して互いに離間対向する対向板５８にて構成されている。
【００７２】
そして、これら四本の伸縮脚５９は、少なくとも下向き傾斜状態および下向き鉛直状態に選択的に設定可能となっている。
【００７３】
使用時における下向き傾斜状態の伸縮脚５９は、カメラ支持部５１の伸縮脚取付部５６から外側方斜め下方に向かって突出し、鉛直方向に対して設定傾斜角度で傾斜する傾斜方向に沿って位置する。
【００７４】
非使用時における下向き鉛直状態の伸縮脚５９は、カメラ支持部５１が地面に対して平行な状態で、カメラ支持部５１の伸縮脚取付部５６から鉛直下方に向かって突出し、鉛直方向に沿って位置する。
【００７５】
雲台８を取付けるには雲台取付孔５３にネジアダプター(図示せず)を介して雲台を接続する。
【００７６】
上記のネジアダプターは円盤状の形態で上側と下側中心に雄ネジを備え雲台を支持し接続する部品
であり従来構成の一般に適用されている着脱可能の部品である。
【００７７】
また、雲台は例えば自由雲台等で種々の形態のものが一般に適用されている撮影機材である。
【００７８】
次に、上記カメラ支持部内蔵バッグの作用等を説明する。
【００７９】
第１の使用状態時には、図８に示すように、バッグの雲台孔１６を開け、カメラ支持部５１の雲
台取付孔５３にネジアダプターを介して雲台８を接続し、雲台８にカメラ９を接続固定してバッグを体の前に抱えて撮影を行う。
【００８０】
第２の使用状態時には、図１０に示されるように脚収納拡福部１９（脚収納部外側のバッグ四隅鉛直方向）に設けられたスライドファスナーによって開口、四本の伸縮脚５９は下向き傾斜状態に設定、伸縮脚５９を任意の長さにして伸縮脚ロックナット６０を閉めて固定することにより適切に通常撮影が行われる。
【００８１】
尚、図１５のように脚収納拡福部１９（脚収納部外側のバッグ四隅鉛直方向））に伸縮性素材を用いた場合は伸縮性素材底部は縫製せずに開けることで、4本の伸縮脚５９を広げて下向き傾斜状態に設定、伸縮脚５９を任意の長さにして伸縮脚ロックナット６０を閉めて固定することにより適切に通常撮影が行われる。
【符号の説明】
【００８２】
１１  バッグ                           
１２  インナーボックス                                   
１４  上蓋                  
１５  上蓋スライドファスナー                        
１６  雲台孔                              
１７  雲台孔スライドファスナー
１８  脚収納部                                    
１９  脚収納拡幅部    
２０  ショルダーストラップ
２１  ウエストベルト                                              
５１  カメラ支持部
５２  雲台取付部
５３  雲台取付孔
５４  操作部
５５  エレベーターポール
５６  伸縮脚取付部                          
５７  水平方向軸                            
５８  対向板                          
５９  伸縮脚                         
６０  伸縮脚ロックナット                                                        ８    雲台                              
９    カメラ                                        
【産業上の利用可能性】
【００８３】
本発明は、背負い型バッグの多機能化に利用される。
【図１】
2020056986.tif 000003
【図２】
2020056986.tif 000004
【図３】
2020056986.tif 000005
【図４】
2020056986.tif 000006
【図５】
2020056986.tif 000007
【図６】
2020056986.tif 000008
【図７】
2020056986.tif 000009
【図８】
2020056986.tif 000010
【図９】
2020056986.tif 000011
【図１０】
2020056986.tif 000012
【図１１】
2020056986.tif 000013
【図１２】
2020056986.tif 000014
【図１３】
2020056986.tif 000015
【図１４】
2020056986.tif 000016
【図１５】
2020056986.tif 000017
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
カメラ支持部内蔵バッグであって、カメラを支持するためのカメラ支持部（５１）と、このカメラ支持部を収納するバッグ（１１）と、を備え、前記カメラ支持部（５１）は、前記カメラを取り付けるための雲台を取り付けるための雲台取り付け部（５２）と、前記雲台取り付け部から水平放射状３方向に延びる本体部と、前記本体部の３方向の先端に、基端が回動可能に支持され、それにより下方向から設定傾斜角度までの範囲で開脚可能であり、かつ伸縮可能な３本の伸縮脚（５９）と、を有し、
前記バッグは、略直方体状のバッグであって、前記3本の伸縮脚を備えた前記カメラ支持部を挿入できるように開閉可能の上蓋を有し、上蓋には、前記カメラの雲台を貫通させるため開閉可能な雲台孔を備え、バッグの内側3箇所にバッグの側壁に沿って、縦方向で下方向に、伸縮脚を挿入できる円筒状の脚収納部（１８）を備え、前記3本の伸縮脚を備えた前記カメラ支持部を収納できるようにし、バッグの背面側で隅2箇所と正面側で幅方向の中央１箇所は、スライドファスナーによって伸縮脚を広げて延伸できるようにしたことを特徴とするカメラ支持部内蔵バッグ。